(57)【要約】【課題】実行する機能に基づいて表示部の表示領域の露出面積を決定して表示領域を露出させると共に、表示領域に表示される画像の表示状態が調整可能な携帯電子機器を提供することを目的とする。【解決手段】携帯電子機器１０の主制御部２６０は、アプリケーションの操作状態を検出すると、記憶部２６９に当該アプリケーションの表示領域の露出面積データが有るか否か判定する。露出面積データがある場合は、そのデータを参照して表示部１２を移動させ、表示領域を露出させる。露出面積データが無い場合は、ファイルの表示サイズを検出し、表示サイズから表示部１２の露出面積を算出して、表示部１２を移動させ、表示領域を露出させる。表示不要状態に遷移した場合は、表示部１２を筐体内に収納させる。アプリケーションやファイルに応じた、適正な面積の表示領域を露出させることができる。【選択図】図３
2011135366.tif 000002
【特許請求の範囲】
【請求項１】
複数の機能を実行可能な携帯電子機器であって、
筐体と、
前記筐体内に収納された位置と、前記筐体外へ露出した位置との間で移動可能な表示部と、
前記表示部を移動させ、前記表示部が前記筐体から露出している表示領域の露出面積を調整可能な調整部と、
前記複数の機能の実行、前記調整部の動作、及び前記表示部での画像表示を制御する制御部と、を有し、
前記制御部は、実行する機能に基づいて、前記表示部の表示領域の露出面積を決定し、前記調整部により前記表示領域の露出面積を決定した露出面積とすることを特徴とする携帯電子機器。
【請求項２】
前記制御部は、前記表示部の露出している表示領域の状態に応じて、前記表示部に表示する画像の表示方向を切り替えることを特徴とする請求項１に記載の携帯電子機器。
【請求項３】
前記制御部は、前記表示部の前記筐体外に露出した表示領域のみに画像を表示させることを特徴とする請求項１または２に記載の携帯電子機器。
【請求項４】
前記制御部は、節電モードと通常モードの切り替えが可能であり、
前記制御部は、前記通常モードから前記節電モードへの切り替え指示を検出したら、前記調整部により前記表示部を移動させて、前記節電モードの設定内容に応じた露出面積とすることを特徴とする請求項１から３のいずれか１項に記載の携帯電子機器。
【請求項５】
さらに、各部に電力を供給する二次電池と、
前記二次電池の電力の残量を検出する残量検出部と、
を備え、
前記制御部は、前記残量検出部が検出した前記二次電池の残量に応じて、前記表示部の露出面積を制御することを特徴とする請求項１から４のいずれか１項に記載の携帯電子機器。
【請求項６】
さらに、外部電源から電力供給中であるか否かを検出する外部電力検出部を備え、
前記制御部は、前記外部電力検出部で外部電源から電力供給中であると判定したら、前記表示部の露出面積が最大となるように制御することを特徴とする請求項１から５のいずれか１項に記載の携帯電子機器。
【請求項７】
前記制御部は、実行中の機能を終了させる指示を検出したら、前記表示部の前記筐体外へ露出させた部分を前記筐体内へ収納させることを特徴とする請求項１から６のいずれか１項に記載の携帯電子機器。
【請求項８】
前記表示部は、可撓性を有し、
前記調整部は、前記表示部を前記筐体内に巻き取って収納する巻き取り部と、前記巻き取り部を回転させる駆動部とを備え、
前記駆動部により前記巻き取り部を巻き取り方向に回転させて、前記表示部を前記筐体に収納し、前記駆動部により前記巻き取り部を巻き取り方向と逆方向に回転させて、前記表示部を前記筐体外に露出させることを特徴とする請求項１から７のいずれか１項に記載の携帯電子機器。
【請求項９】
前記表示部は、前記筐体外に露出可能な表示領域の面積が、前記筐体の最も広い面の面積よりも大きいことを特徴とする請求項１から８のいずれか１項に記載の携帯電子機器。
【発明の詳細な説明】
【技術分野】
【０００１】
本発明は、筐体外へ露出可能な表示部を有する携帯電子機器に関する。
【背景技術】
【０００２】
従来の携帯電子機器は、筐体本体の一部に閲覧情報や操作情報等を表示する表示部が設けられている。また、携帯電子機器としての携帯電話機では、近年、携帯電話・移動体端末向けの１セグメント部分受信サービス（以下、ワンセグという）、ハイビジョンビデオカメラ、高画素カメラ、あるいは、ＰＣサイト閲覧ブラウザなどの多機能化が進んでいる。このため、表示部に表示させる画像は種々の画像を表示させる必要がある。
【０００３】
また、表示部に表示させる画像を調整する装置も提案されている。例えば、特許文献１には、アプリケーションで使用されたアイコンやピクトグラム（絵文字）などを表示頻度に応じて、自動で並べ替えて表示させる携帯電話機が開示されている。
【先行技術文献】
【特許文献】
【０００４】
【特許文献１】特開２００２−２１５２８７号公報
【発明の概要】
【発明が解決しようとする課題】
【０００５】
ここで、特許文献１に記載の装置のように、携帯電子機器は、表示部を筐体の表面に設けられている。そのため、表示部の大きさに制限があり、より大きい表示部を備えるためには、筐体を大型化ことが必要となり、大画面化が困難となる。また、特許文献１に記載の装置のように、表示順序を並べ替えることで、より適切な画像を表示させることができるが、表示の工夫に限界があった。
【０００６】
本発明は、上記に鑑みてなされたものであって、使用用途に応じて適切に表示部を利用することができる携帯電子機器を提供することを目的とする。
【課題を解決するための手段】
【０００７】
本発明は、複数の機能を実行可能な携帯電子機器であって、筐体と、前記筐体内に収納された位置と、前記筐体外へ露出した位置との間で移動可能な表示部と、前記表示部を移動させ、前記表示部が前記筐体から露出している表示領域の露出面積を調整可能な調整部と、前記複数の機能の実行、前記調整部の動作、及び前記表示部での画像表示を制御する制御部と、を有し、前記制御部は、実行する機能に基づいて、前記表示部の表示領域の露出面積を決定し、前記調整部により前記表示領域の露出面積を決定した露出面積とすることを特徴とする。
【０００８】
ここで、前記制御部は、前記表示部の露出している表示領域の状態に応じて、前記表示部に表示する画像の表示方向を切り替えることが好ましい。
【０００９】
また、前記制御部は、前記表示部の前記筐体外に露出した表示領域のみに画像を表示させることが好ましい。
【００１０】
また、前記制御部は、節電モードと通常モードの切り替えが可能であり、前記制御部は、前記通常モードから前記節電モードへの切り替え指示を検出したら、前記調整部により前記表示部を移動させて、前記節電モードの設定内容に応じた露出面積とすることが好ましい。
【００１１】
また、さらに、各部に電力を供給する二次電池と、前記二次電池の電力の残量を検出する残量検出部と、を備え、前記制御部は、前記残量検出部が検出した前記二次電池の残量に応じて、前記表示部の露出面積を制御することが好ましい。
【００１２】
また、さらに、外部電源から電力供給中であるか否かを検出する外部電力検出部を備え、前記制御部は、前記外部電力検出部で外部電源から電力供給中であると判定したら、前記表示部の露出面積が最大となるように制御することが好ましい。
【００１３】
また、前記制御部は、実行中の機能を終了させる指示を検出したら、前記表示部の前記筐体外へ露出させた部分を前記筐体内へ収納させることが好ましい。
【００１４】
また、前記表示部は、可撓性を有し、前記調整部は、前記表示部を前記筐体内に巻き取って収納する巻き取り部と、前記巻き取り部を回転させる駆動部とを備え、前記駆動部により前記巻き取り部を巻き取り方向に回転させて、前記表示部を前記筐体に収納し、前記駆動部により前記巻き取り部を巻き取り方向と逆方向に回転させて、前記表示部を前記筐体外に露出させることが好ましい。
【００１５】
また、前記表示部は、前記筐体外に露出可能な表示領域の面積が、前記筐体の最も広い面の面積よりも大きいことが好ましい。
【発明の効果】
【００１６】
本発明にかかる携帯電子機器は、実行する機能に応じて表示部の露出面積を変更することで、表示部を適切に利用することができるという効果を奏する。
【図面の簡単な説明】
【００１７】
【図１】本発明の実施形態１にかかる携帯電子機器の外観斜視図である。
【図２】図１に示す携帯電子機器のＡ−Ａ線断面図である。
【図３】本発明の実施形態１にかかる携帯電子機器の概略構成を示すブロック図である。
【図４】携帯電子機器の動作を説明するための平面図である。
【図５−１】携帯電子機器の動作を説明するための平面図である。
【図５−２】携帯電子機器の動作を説明するための平面図である。
【図６】携帯電子機器の動作の一例を示すフロー図である。
【図７】携帯電子機器の動作の他の例を示すフロー図である。
【図８−１】携帯電子機器の動作を説明するための平面図である。
【図８−２】携帯電子機器の動作を説明するための平面図である。
【図９】携帯電子機器の動作の他の例を示すフロー図である。
【図１０−１】表示領域に表示するコンテンツの一例を示す模式図である。
【図１０−２】表示領域に表示するコンテンツの他の例を示す模式図である。
【図１１−１】携帯電子機器の動作を説明するための平面図である。
【図１１−２】携帯電子機器の動作を説明するための平面図である。
【図１２】携帯電子機器の動作の他の例を示すフロー図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００１９】
（実施形態１）
まず、携帯電子機器の外観の構成を説明する。図１は、本発明の実施形態１にかかる携帯電子機器の外観斜視図であり、図２は、図１に示す携帯電子機器のＡ−Ａ線断面図である。
【００２０】
携帯電子機器１０は、無線通信機能を備えた携帯電話機であり、図１及び図２に示すように、筐体１１が略直方体形状で構成された、いわゆるストレート型携帯電話機である。また、筐体１１は、略直方体形状であり、面積が最も大きい面の長手方向の辺と隣接する面（長手側の側面）の一部に開口部１１ａ形成されている。
【００２１】
筐体１１内には、可撓性を有するフィルム状の表示部１２が収納されている。表示部１２は、開口部１１ａを通過して少なくとも一部が筐体１１から露出可能となっている。表示部１２の外周部には、露出した表示部１２の平面性を保つためのフレーム１２ａが配置されている。フレーム１２ａは、フレームとしての剛性を領域毎に変化可能な構成であり、筐体１１内部に収納されている部分は、折れ曲がり可能な状態で表示部１２と連結され、筐体１１から露出されている部分は、一定以上の剛性を有し、折れ曲がらない状態で表示部１２と連結される。なお、表示部１２としては、有機エレクトロルミネッセンス（Organic Electro-Luminescence：有機EL）、液晶ディスプレイ（Liquid Crystal Display：LCD）などを用いることができる。
【００２２】
また、表示部１２は、露出時の先端となる端部とは反対側の端部が回転可能な棒状の巻き取り部１４に連結されている。巻き取り部１４は、回転自在に支持されており、駆動モータ１６が連結されている。駆動モータ１６は、巻き取り部１４を巻き取り方向と逆方向に回転させることにより、表示部１２を筐体１１外に露出させたり、筐体１１内に収納したりする。具体的には、駆動モータ１６により巻き取り部１４を一方の方向（上述の逆方向）に回転させ、表示部１２を矢印Ｂ方向に移動させることで、表示部１２を筐体１１外に露出させる。駆動モータ１６により巻き取り部１４を他方の方向（上述の巻き取り方向）に回転させ、表示部１２を矢印Ｃ方向に移動させることで、表示部１２を筐体１１内に収納したりする。なお、駆動モータ１６には、ステッピングモータなどを好適に用いることができる。なお、駆動モータ１６は、ウォームギヤ、あるいは、かさ歯車（ベベルギヤ）などを介在させて巻き取り部１４と連結されており、これらの部材を介して動力を伝達している。
【００２３】
携帯電子機器１０の筐体１１の面積が最も大きい面には、携帯電話機の入力操作を行う操作部１８が配置されている。操作部１８としては、操作キーや方向及び決定キー１８ａなどを備えている。また、携帯電子機器１０には、音声通話時に送話音声を取り込むマイク２２と受話音声を受けるレシーバ２４を備えている。
【００２４】
次に、図３は、本発明の実施形態１にかかる携帯電子機器の概略構成を示すブロック図である。以下、図３を用いて、上述した携帯電子機器１０の機能構成について説明する。図３に示すように携帯電子機器１０は、上述した表示部１２、巻き取り部１４、駆動モータ１６、操作部１８、マイク２２、レシーバ２４に加え、制御装置２６を構成する、主制御部２６０、表示制御部２６１、表示部移動制御部２６３、音声処理部２６５、ワンセグ受信部２６７、メール送受信部２６８、記憶部２６９、電力制御部２７０、外部電源検出部２７２及び電力残量検出部２７４を備えている。
【００２５】
制御装置２６の主制御部２６０は、ＣＰＵ（Central Processing Unit）、マイクロプロセッサユニット（ＭＰＵ：Micro Processor Unit）等の携帯電子機器１０の全体的な動作を統括的に制御する処理部であり、表示制御部２６１と、表示部移動制御部２６３と、音声処理部２６５と、ワンセグ受信部２６７と、メール送受信部２６８と、電力制御部２７０と、外部電源検出部２７２と、電力残量検出部２７４等の動作を制御する。
【００２６】
主制御部２６０は、記憶部２６９に保存されているプログラム（例えば、オペレーティングシステムプログラム、アプリケーションプログラム等）に基づいて各種の処理を実行する。すなわち、主制御部２６０は、記憶部２６９に保存されるオペレーティングシステムプログラムやアプリケーションプログラム等から命令コードを順次読み込んで処理を実行する。また、記憶部２６９には、主制御部２６０での処理に利用されるソフトウェアやデータが保存されている。具体的なデータ例としては、携帯電子機器で使用されるアプリケーション毎に設定された表示領域の露出面積データや、節電設定時における表示領域の露出面積データなどがテーブルデータ化され、保存されている。
【００２７】
表示制御部２６１は、表示部１２に表示する画像の表示制御を行う。また、表示部移動制御部２６３は、駆動モータ１６を駆動し、表示部１２の露出面積の調整制御を行う。また、音声処理部２６５は、マイク２２、レシーバ２４と連結され、音声の出力、入力を制御する。また、ワンセグ受信部２６７は、ワンセグテレビの受信を制御し、メール送受信部２６８は、電子メールの作成及び送受信を制御する。電力制御部２７０は、バッテリ、また状態に応じて外部電力源の電力供給機構から主制御部２６０等への電力の供給を制御する。また、外部電源検出部２７２は、外部電源（商用電源等）と接続され、外部から電力供給可能な状態であるかを判定する。なお、外部電源検出部２７２は、コネクタに端子が接続されているか、接続端子から閾値以上の電圧が供給されているか等により充電可能な状態であるかを判定する。電力残量検出部２７４は、携帯電子機器１０が備えている電源（バッテリ等）の電力の残量を検出する。また、制御装置２６は、上記各部以外にも、スケジュール管理、アドレス帳の管理、あるいは、カレンダーの管理等、種々の機能を制御する制御機能を備える。
【００２８】
次に、図４、図５−１、図５−２を用いて、実施形態１における携帯電子機器１０動作について説明する。ここで、図４、図５−１、及び図５−２は、それぞれ、携帯電子機器の動作を説明するための平面図である具体的には、図４は、携帯電子機器の表示部が筐体内に収納されている操作前の基本状態を示し、図５−１には、携帯電子機器のアプリケーションの操作状態に応じて表示部を露出させた状態を示し、図５−２には、表示部の表示が不要となって筐体内に収納される状態を示している。
【００２９】
まず、携帯電子機器１０は、アプリケーションの操作を実行していない場合、図４に示すように、表示部１２が筐体１１内に全て収納されていて、筐体１１外に表示部１２が露出していない状態にある。この状態で、携帯電子機器１０の主制御部２６０は、アプリケーションが操作されるのを待っている。
【００３０】
主制御部２６０は、この状態で、アプリケーションの起動指示が入力されたら、起動されたアプリケーションに対応した露出面積を算出する。主制御部２６０は、表示部移動制御手段２６３により駆動モータ１６を駆動し、算出した露出面積分、表示部１２を筐体１１から露出させる。例えば、操作部１８が操作され、複数桁の番号が入力されたら、主制御部２６０は、通話アプリケーションの起動指示が入力されたと判定する。主制御部２６０は、通話アプリケーションの起動に対応して、電話番号を表示可能な領域分の表示部１２を筐体１１から露出させ、図５−１に示すように、表示部１２の露出部分に、操作者が入力した電話番号を表示させる。また、主制御部２６０は、通話アプリケーションにより通話が開始される等、画像を表示させる必要がない状態となったら、図５−２に示すように、表示部１２の露出部分を筐体１１内に移動させる。このように起動されているアプリケーション、またアプリケーションの状態に応じて、必要な露出面積を算出し、表示領域を調整することで、表示部を有効に活用することができる。
【００３１】
以下、図６を用いて、具体的な制御について説明する。ここで、図６は、携帯電子機器の制御動作の一例を示すフロー図である。まず、主制御部２６０は、アプリケーションの指定操作を検出したら（ステップＳ１００）、当該アプリケーション固有の表示領域の露出面積データがあるかを判定する（ステップＳ１０１）。なお、アプリケーション指定操作とは、起動するアプリケーションを指定する操作である。また、アプリケーション固有の表示領域の露出面積データとは、アプリケーションに対して設定されている露出面積のデータであり、対応関係は、記憶部２６９に記憶されている。
【００３２】
主制御部２６０は、当該アプリケーションが固有の表示領域の露出面積データを持っている（ステップＳ１０１でＹｅｓ）と判定したら、露出面積データを参照する（ステップＳ１０２）。つまり、主制御部２６０は、当該アプリケーション（ステップＳ１００で指定されたアプリケーション）に対して設定されている露出面積データを読み出す。
【００３３】
一方、主制御部２６０は、当該アプリケーションが固有の表示領域の露出面積データを持っていない（ステップＳ１０１でＮｏ）と判定したら、表示サイズを検出する（ステップＳ１０７）。つまり、主制御部２６０は、ステップＳ１００で指定されたアプリケーションが表示させる画像のサイズを検出する。その後、主制御部２６０は、表示サイズから表示部の露出面積データを算出する（ステップＳ１０８）。
【００３４】
主制御部２６０は、ステップＳ１０２で露出面積データを参照したら、または、ステップＳ１０８で露出面積データを算出したら、露出面積データに応じて露出面積になるまで表示部１２を移動させる（ステップＳ１０３）。
【００３５】
主制御部２６０は、表示部１２の移動が完了したら、表示不要状態に遷移したか否かを判定する（ステップＳ１０４）。つまり、主制御部２６０は、起動しているアプリケーションが終了し、表示する画像がなくなったかを判定する。主制御部２６０は、表示不要状態ではない（ステップＳ１０４でＮｏ）、つまり、表示する画像があると判定したら、アプリケーションの切替えが有るかを判定する（ステップＳ１０６）。主制御部２６０は、アプリケーションの切替えがない（ステップＳ１０６でＮｏ）と判定したら、ステップＳ１０４に進む。また、主制御部２６０は、アプリケーションの切替えがある（ステップＳ１０６でＹｅｓ）と判定したら、ステップＳ１００に進み、上記動作を繰り返す。つまり、主制御部２６０は、使用するアプリケーションが切り替えられたら、新たに、起動されるアプリケーションに対して、上記ステップＳ１００からの処理を行う。
【００３６】
また、主制御部２６０は、表示不要状態である（ステップＳ１０４でＹｅｓ）と判定したら、露出していた表示部１２を収納して（ステップＳ１０５）、処理を終了する。
【００３７】
このように、携帯電子機器は、アプリケーションが固有に持っている表示領域の露出面積データ、あるいは、露出面積データが無くても、表示する画像のサイズから露出面積を算出して、表示部の露出量を調整することで、使用するアプリケーションの特性に応じた露出面積とすることができる。これにより、使用状態に応じて表示部を使用することができ、表示部をより有効に活用することができる。
【００３８】
また、不要な表示領域は収納することで、画像表示時に必要以上に装置が大きくなることを抑制できるため、装置をコンパクトにすることができる。さらに、表示領域に表示される表示が不要になると、露出した表示部が直ちに筐体内に収納されるため、装置をコンパクト化することができる。
【００３９】
また、上記実施形態１のように、使用するアプリケーションによって、固有の表示領域の露出面積データを設定することで、起動時に迅速に露出面積を決定することができる。また、一部アプリケーションは、固有の表示領域の露出面積データを設定しないようにすることで、例えば、画像表示アプリケーション等の、使用（表示させるデータ）によって、必要な露出面積が変わるアプリケーションに対応することができ、使用用途に応じた露出面積とすることができる。
【００４０】
なお、上記実施形態１では、アプリケーションが切り替えられる毎に露出面積を調整するようにしたが、本発明はこれに限定されない。使用状態に応じて、露出面積を調整するようにすればよく、上述したように、１つのアプリケーションの使用中であっても、露出面積を調整するようにすることができる。例えば上述したように、発信時は、表示部を露出させて電話番号を表示させ、通話時は、表示部を収納するようにしてもよい。また、画像を表示させる場合は、表示させる画像が切り替わるたびに、表示させる画像のサイズ（画素数）に応じて露出面積を調整するようにしてもよい。
【００４１】
また、上記実施形態１では、構成を簡単にでき、よりコンパクトにでき、かつ、表示領域を大型化しやすいため、表示部１２を、可撓性を有するフィルム形状とし、巻き取り部によって巻き取って、筐体１１内に収納する構成としたが、本発明はこれに限定されない。例えば、表示部１２を、可撓性を備えない、つまり折れ曲がらない構成の表示部を筐体から出し入れさせることで、露出面積を調整可能とした構成としてもよい。
【００４２】
（実施形態２）
次に、携帯電子機器１０の実施形態２について説明する。実施形態２の特徴は、外部からの電力供給状態、および内部の電力残量を検出し、その検出結果に基づいて表示部の露出面積を設定し、表示部を移動させる点にある。これにより、携帯電子機器１０に電力が供給される状態に応じて、露出面積を調整することができる。なお、実施形態２は、制御動作が異なるのみで、装置構成は、携帯電子機器１０と同様である。
【００４３】
以下、図７、図８−１及び図８−２を用いて、実施形態２における携帯電子機器１０の動作について説明する。ここで、図７は、携帯電子機器の動作の他の例を示すフローチャートである。また、図８−１及び図８−２は、それぞれ、携帯電子機器の動作を説明するための平面図である。具体的には、図８−１には、携帯電子機器の表示部の表示領域の露出面積を最大にした状態を示し、図８−２には、携帯電子機器の表示部の表示領域の露出面積を所定の大きさとした状態を示す。
【００４４】
まず、携帯電子機器１０は、アプリケーションが起動され、一定面積の表示部が露出されている状態、または、アプリケーションが起動された直後の状態である。この状態で、主制御部２６０は、まず、図７に示すように、外部電源からの電力供給はあるかを判定する（ステップＳ２００）。具体的には、主制御部２６０は、外部電源検出部２７２により、装置が外部電源と接続され、外部からの電力供給が可能な状態であるかを判定する。主制御部２６０は、外部電源から電力供給有り（ステップＳ２００でＹｅｓ）と判定したら、表示部１２の露出面積を最大に設定する（ステップＳ２０１）。
【００４５】
また、主制御部２６０は、外部電源から電力供給無し（ステップＳ２００でＮｏ）と判定したら、電力残量の検出処理を行う（ステップＳ２０５）。具体的には、主制御部２６０は、電力残量検出部２７４により携帯電子機器１０が内蔵している電源（バッテリ等）に残された電力を検出する。その後、主制御部２６０は、検出された電力残量に対応した表示部１２の表示領域の露出面積に設定する（ステップＳ２０６）。つまり、主制御部２６０は、電池残量に応じて、表示部の露出面積を設定する。（例えば、電池残量が多ければ、露出面積を大きく設定し、電池残量を少なければ、露出面積を小さく設定する。）
【００４６】
主制御部２６０は、ステップＳ２０１またはステップＳ２０６で、表示部の表示領域の露出面積を設定したら、設定された露出面積になるまで表示部１２を移動させる（ステップＳ２０２）。具体的には、主制御部２６０は、表示部移動制御部２６３を介して駆動モータ１６を駆動させて巻き取り部１４を回転させ、表示部１２の露出面積を調整する。ここで、主制御部２６０は、ステップＳ２０１で露出面積が設定された場合、図８−１に示すように、表示部１２を最大面積で露出させる。これに対して、ステップＳ２０６で露出面積が設定された場合は、図８−２に示すように、表示部１２を最大面積よりも少ない面積で露出させる。
【００４７】
主制御部２６０は、表示部１２を移動させたら、表示不要状態に遷移したか否かを判定する（ステップＳ２０３）。つまり、主制御部２６０は、起動しているアプリケーションが終了するなどにより、表示する画像がなくなったかを判定する。主制御部２６０は、表示不要状態ではない（ステップＳ２０３でＮｏ）、つまり、表示する画像があると判定したらステプＳ２００に進み、上記処理を繰り返す。
【００４８】
また、主制御部２６０は、表示不要状態である（ステップＳ２０３でＹｅｓ）と判定したら、露出していた表示部１２を収納して（ステップＳ２０４）、処理を終了する。
【００４９】
このように、携帯電子機器１０は、電力制御部２７０が外部電力から電力供給を受けている場合は、表示部を最大面積で表示させることで、内蔵の電源の電力を消耗させることなく、大画面で画像を表示させることができる。このように画面を大画面にできることで、例えば、フルＨＤ（full high definition）動画等を視聴することも可能となる。また、外部電力から電力供給を受けていない場合に、電力残量に基づいて表示領域の露出面積に設定し、表示部の表示領域を露出させることで、携帯電子機器１０の状態に応じて、表示部１２の表示を調整することができる。これにより、適切な状態で携帯電子機器を使用することができる。また、電力残量に応じて、表示面積が変わることで、操作者も携帯電子機器の状態を認識することができる。
【００５０】
ここで、携帯電子機器１０は、表示部の露出している領域以外は、画像を表示させないようにすることが好ましい。つまり、表示部１２のうち、筐体内にある部分は、画像表示操作を行わないことが好ましい。具体的には、シャッターの動作をオフにしたり、バックライトによる照明を行わないにしたりする。これにより、駆動領域を低減することができ、消費電力を低減することができる。
【００５１】
なお、上記実施形態は、外部電源が接続されていない場合は、電力残量に応じて、表示部の露出面積を設定したが、これに限定されない。例えば、外部電源が接続されていない場合は、アプリケーションの状態に応じて露出面積を設定するようにしてもよい。また、外部電源が接続されているか否かの判定は行わず、電池残量が一定以下となったら、露出面積を一定面積以下とする設定としてもよい。
【００５２】
（実施形態３）
次に、携帯電子機器１０の実施形態３について説明する。実施形態３の特徴は、アプリケーション毎に通常設定の露出面積と、節電設定時の露出面積とを予め決めておき、節電設定の有無によって最終的な露出面積を設定するようにした点にある。なお、節電設定の露出面積は、通常設定の露出面積よりも基本的に小さく設定する。これにより、設定により、表示部の表示領域の露出面積をより少なくできるので、消費電力を抑えることができ、ユーザに節電中であることを認識させることができる。なお、実施形態３は、制御動作が異なるのみで、装置構成は、携帯電子機器１０と同様である。
【００５３】
図９を用いて、実施形態３における携帯電子機器１０の動作について説明する。ここで、図９は、携帯電子機器の動作の他の例を示すフロー図である。まず、主操作部２６０は、携帯電子機器１０のアプリケーションの起動操作を検出したら（ステップＳ３００）、起動操作された（起動指示が入力された）アプリケーションを起動させ、起動したアプリケーションの表示領域の露出面積テーブルを参照する（ステップＳ３０１）。ここで、表示領域の露出面積テーブルとは、アプリケーション毎に、通常設定の露出面積の設定値と、節電設定時の露出面積の設定値とが対応付けられて記憶されているテーブルである。主制御部２６０は、記憶部２６９に記憶されたテーブルを参照して、設定されている露出面積の設定値を読み出す。
【００５４】
主制御部２６０は、テーブルを参照したら、節電設定有りかを判定する（ステップＳ３０２）。つまり、節電設定に設定されているかを判定する。主制御部２６０は、節電設定有り（ステップＳ３０２でＹｅｓ）と判定したら、節電設定時の表示領域の露出面積に設定する（ステップＳ３０３）。つまり、主制御部２６０は、テーブルから起動させるアプリケーションが節電設定の場合の露出面積として設定されている値を読み出し、読み出した値を露出面積として設定する。
【００５５】
また、主制御部２６０は、節電設定がされていないと判定したら（ステップＳ３０２でＮｏ）、アプリケーションに指定されている表示領域の露出面積に設定する（Ｓ３０７）。つまり、主制御部２６０は、テーブルから起動させるアプリケーションが通常設定の場合の露出面積として設定されている値を読み出し、読み出した値を露出面積として設定する。
【００５６】
主制御部２６０は、ステップＳ３０３またはステップＳ３０７で、表示部の表示領域の露出面積を設定したら、設定された露出面積になるまで表示部１２を移動させる（ステップＳ３０４）。
【００５７】
主制御部２６０は、表示部１２の移動が完了したら、表示不要状態に遷移したか否かを判定する（ステップＳ３０５）。つまり、主制御部２６０は、起動しているアプリケーションが終了し、表示する画像がなくなったかを判定する。主制御部２６０は、表示不要状態ではない（ステップＳ３０５でＮｏ）、つまり、表示する画像があると判定したら、アプリケーションの切替えがあるか否かを判定する（ステップＳ３０８）。主制御部２６０は、アプリケーションの切替えがない（ステップＳ３０８でＮｏ）と判定したら、ステップＳ３０５に進む。また、主制御部２６０は、アプリケーションの切替えがある（ステップＳ３０８でＹｅｓ）と判定したら、ステップＳ３００に進み、上記動作を繰り返す。
【００５８】
また、主制御部２６０は、表示不要状態である（ステップＳ３０５でＹｅｓ）と判定したら、露出していた表示部１２を収納して（ステップＳ３０６）、処理を終了する。
【００５９】
このように、携帯電子機器は、節電設定の有無によって表示領域の露出面積の設定値を切り替えることで、同じアプリケーションを起動させる場合でも設定に応じて露出面積を切り替えることができる。また、節電設定として、表示面積を小さくすることができる。このように表示面積を小さくすることで、表示部に画像を表示するために使用する電力をより少なくすることができ、節電することができる。また、テーブルを用い、節電設定か通常設定かで使用する項目を切り替えることで、操作者は、節電設定にするのみで、アプリケーション毎に節電の度合いや節電方法を異なる設定にすることができる。これにより、操作者への負荷を少なく、種々の設定にすることができ、操作性を高くしつつ、表示部の有用性を高くすることができる。
【００６０】
（実施形態４）
次に、携帯電子機器１０の実施形態４について説明する。実施形態４の特徴は、露出している表示領域の縦横比と、表示領域に表示するコンテンツ（表示させる画像）の縦横比とを比較し、コンテンツの長手方向と表示領域の長手方向とが一致する方向にコンテンツを回転させて、表示させる点にある。これにより、表示領域に対して、コンテンツをより大きく表示させることができる。なお、実施形態４は、制御動作が異なるのみで、装置構成は、携帯電子機器１０と同様である。
【００６１】
まず、図１０−１、図１０−２、図１１−１及び図１１−２を用いて、実施形態４における携帯電子機器１０の動作について説明する。
【００６２】
ここで、図１０−１は、表示領域に表示するコンテンツの一例を示す模式図であり、図１０−２は、表示領域に表示するコンテンツの他の例を示す模式図ある。また、図１１−１及び図１１−２は、それぞれ、携帯電子機器の動作を説明するための平面図である。
【００６３】
まず、縦横比が異なるコンテンツとして、図１０−１に示すコンテンツａと、図１０−２に示すコンテンツｂとがある。なお、コンテンツａ、コンテンツｂともに図中下側が画像の下側となる。ここで、コンテンツａは、縦横比が４：３の割合で、縦長の画像である。また、コンテンツｂは、縦横比が３：４の割合で、横長の画像である。
【００６４】
次に、図１１−１に示す携帯電子機器１０は、表示部１２の表示領域の縦横比が、４：３の割合（縦長）で表示されている。ここで、表示部１２は、基本的に表示領域の図中下側（筐体１１においてマイク２２が配置されている側）にコンテンツの下側が表示されるように設定されている。図１１−１に示す携帯電子機器１０に、コンテンツａを表示させる操作が入力されると、主制御部２６０は、コンテンツａの長手方向と表示領域の長手方向が一致しているかを判定する。コンテンツａと表示領域は長手方向が一致しているため、コンテンツａはそのままの向き、図中下側が下側となる状態で表示される。
【００６５】
次に、図１１−１に示す携帯電子機器１０に、コンテンツｂを表示させる操作が入力されると、主制御部２６０は、コンテンツｂの長手方向と表示領域の長手方向が一致しているかを判定する。コンテンツｂと表示領域は長手方向が一致しないため、コンテンツｂは９０度回転されて、画像が横向きで表示される。
【００６６】
これに対して、図１１−２に示す携帯電子機器１０は、表示部１２の表示領域の縦横比が、３：４の割合（横長）で表示されている。図１１−２に示す携帯電子機器１０に、コンテンツａを表示させる操作が入力されたら、コンテンツａと表示領域は長手方向が一致しない。このため、コンテンツａは、９０度回転されて、画像が横向きで表示される。
【００６７】
次に、図１１−２に示す携帯電子機器１０に、コンテンツｂを表示させる操作が入力されると、コンテンツｂと表示領域は長手方向が一致するため、コンテンツｂは、そのままの向き、図中下側が下側となる状態で表示される。
【００６８】
次に、図１２を用いて、実施形態３における携帯電子機器１０の動作について説明する。ここで、図１２は、携帯電子機器の動作の他の例を示すフロー図である。まず、主制御部２６０は、表示部の表示領域の露出面積の設定と表示部の移動処理を行う（ステップＳ４００）。つまり、主制御部２６０は、設定等に基づいて、露出面積を設定し、決定した露出面積分、表示部を露出させる。なお、露出面積の設定方法は、上述した各種の方法を用いることができる。
【００６９】
主制御部２６０は、表示部を露出させたら、表示領域に表示されるコンテンツの縦横比を検出し（ステップＳ４０１）、露出している表示領域の長手方向を検出する（ステップＳ４０２）。
【００７０】
そして、主制御部２６０は、表示するコンテンツの長手方向と表示領域の長手方向が一致しているかを判定する（ステップＳ４０３）。なお、コンテンツは、基本的に所定の表示の向きが設定されている。したがって、ステップＳ４０３では、設定されている表示の向きで表示させた場合に両者の長手方向が一致するかを判定する。
【００７１】
主制御部２６０は、長手方向が一致する（ステップＳ４０３でＹｅｓ）と判定したら、例えば、図１１−１に示す表示領域とコンテンツａとの組み合わせ、図１１−２に示す表示領域とコンテンツｂとの組み合わせの場合は、そのままステップＳ４０４に進む。
【００７２】
これに対して、主制御部２６０は、長手方向が一致しない（ステップＳ４０３でＮｏ）と判定したら、例えば、図１１−１に示す表示領域とコンテンツｂとの組み合わせ、図１１−２に示す表示領域とコンテンツａとの組み合わせの場合は、コンテンツの表示方向を９０度回転処理する（ステップＳ４０６）。つまり、ステップＳ４０３で判定の基準とした表示の向きから、９０度回転させた方向に表示部を表示させる設定とする。
【００７３】
主制御部２６０は、ステップＳ４０３でＹｅｓと判定された場合は、そのまま、また、ステップＳ４０３でＮｏと判定されたら、ステップＳ４０６で表示方向を回転させた後、表示領域の大きさに合わせてコンテンツの画像を処理する。つまり、主制御部２６０は、表示領域に対してコンテンツの画像が縦横比を維持したまま、最大限大きく表示されるように、画像の表示領域を調整する。主制御部２６０は、表示させる画像を調整（処理）したら、コンテンツを表示領域に表示させ（ステップＳ４０５）、処理を終了する。
【００７４】
このように、携帯電子機器は、必要に応じてコンテンツを回転させた状態で表示させることで、表示部１２の面積を維持し、かつ、コンテンツの縦横比を維持したままで、コンテンツを構成する画像をより可能な限り大きく表示させることができる。これにより、露出されている表示領域を効率よく使用することができ、表示部のより適切に使用することができる。
【産業上の利用可能性】
【００７５】
以上のように、本発明にかかる携帯電子機器は、使用するアプリケーションや電源状態に応じて表示領域の露出面積を指定して表示部を露出させる携帯型の装置として用いることに適している。
【符号の説明】
【００７６】
１０  携帯電子機器
１１ａ  開口部
１２  表示部
１２ａ  フレーム
１２０  電話番号
１４  巻き取り部
１６  駆動モータ
１６ａ  ウォーム
１８  操作部
１８ａ  方向及び決定キー
２２  マイク
２４  レシーバ
２６  制御装置
２６０  主制御部
２６１  表示制御部
２６３  表示部移動制御部
２６５  音声処理部
２６７  ワンセグ受信部
２６８  メール送受信部
２６９  記憶部
２７０  電力制御部
２７２  外部電源検出部
２７４  電力残量検出部
【図１】
2011135366.tif 000003
【図２】
2011135366.tif 000004
【図３】
2011135366.tif 000005
【図４】
2011135366.tif 000006
【図５−１】
2011135366.tif 000007
【図５−２】
2011135366.tif 000008
【図６】
2011135366.tif 000009
【図７】
2011135366.tif 000010
【図８−１】
2011135366.tif 000011
【図８−２】
2011135366.tif 000012
【図９】
2011135366.tif 000013
【図１０−１】
2011135366.tif 000014
【図１０−２】
2011135366.tif 000015
【図１１−１】
2011135366.tif 000016
【図１１−２】
2011135366.tif 000017
【図１２】
2011135366.tif 000018